(57)【要約】      （修正有）【課題】着用者の脇部や腹部との隙間ができずフィット感があり、見栄えがよい祭り用腹掛けを提供する。【解決手段】胸部を覆う胸部領域１１と、腹部を覆う腹部領域１２と、腹部領域の側方から着用者の脇部を覆う方向に延出した右脇部領域１３及び左脇部領域１４とからなる前身頃１０と、左右の肩紐１９、２０とを有し、胸部領域の上方左右には右胸肩紐基部１５及び左胸肩紐基部１６とが設けられ、右脇部領域の上方右側には右脇肩紐基部１７が設けられ、左脇部領域の上方左側には左脇肩紐基部１８が設けられ、右脇肩紐基部からは右肩紐１９が右斜め上方に延出され、左脇肩紐基部からは左肩紐２０が左斜め上方に延出され、右肩紐の先端部は左胸肩紐基部に接続され、左肩紐の先端部は右胸肩紐基部に接続され、左肩紐と右肩紐は着用者の背中側で交差するように取り付けられており、右脇部領域及び左脇部領域の下方にはポケット３１、３２が設けられている。【選択図】図１
0003216883.tif 000002
【実用新案登録請求の範囲】
【請求項１】
着用用者の胸部を覆う胸部領域（１１）と、
着用者の腹部を覆う腹部領域（１２）と、
前記腹部領域（１２）の側方から着用者の脇部を覆う方向に延出した右脇部領域（１３）及び左脇部領域（１４）とからなる前身頃（１０）と、
左右の肩紐（１９、２０）とを有し、
前記胸部領域（１１）の上方左右には右胸肩紐基部（１５）及び左胸肩紐基部（１６）とが設けられ、
前記右脇部領域（１３）の上方右側には右脇肩紐基部（１７）が設けられ、
前記左脇部領域（１４）の上方左側には左脇肩紐基部（１８）が設けられ、
前記右脇肩紐基部（１７）からは右肩紐（１９）が右斜め上方に延出され、
前記左脇肩紐基部（１８）からは左肩紐（２０）が左斜め上方に延出され、
前記右肩紐（１９）の先端部（１９ａ）は前記左胸肩紐基部（１６）に接続され、
前記左肩紐（２０）の先端部（２０ａ）は前記右胸肩紐基部（１５）に接続され、
前記左肩紐（２０）と右肩紐（１９）とは、着用者の背中側で交差するように取り付けられており、
前記右脇部領域（１３）及び左脇部領域（１４）の下方にはそれぞれポケット（３１、３２）が設けられていることを特徴とする祭り用腹掛け。
【請求項２】
前記ポケット（３１、３２）は、前記右脇部領域（１３）及び左脇部領域（１４）の外側に形成されたものであることを特徴とする請求項１に記載の祭り用腹掛け。
【考案の詳細な説明】
【技術分野】
【０００１】
本考案は、祭り用の腹掛けに関し、特に、着用者の脇部や腹部との隙間ができずフィット感があり、見栄えがよい祭り用腹掛けに関する。
【背景技術】
【０００２】
従来の祭り用腹掛けは、首の部分から腹部を被っていたものであり、例えば、特許文献１に記載されているものがある。
特許文献１の祭り用腹掛けは、その前腹部が上半身の特に腹部のみを覆うような外観意匠となるように裁断、縫合されており、前腹部は、その上方側に左右対称に延出した肩紐基部と、下方側に左右対称に延出した腰紐基部を有している。
【０００３】
【特許文献１】実用新案登録第３１２０５８９号公報
【考案の開示】
【考案が解決しようとする課題】
【０００４】
しかしながら、祭り用腹掛けは、着用者とサイズが合わないと不格好となり、特に、首元が開いていたり腹部や脇部が着用者の体にフィットしていなかったりすると、見栄えが悪くなる。
また、特許文献１の祭り用腹掛けは、着用者の腹部に巻き付けるための腰紐を有しているので、着脱に時間がかかるという問題点があった。
【０００５】
本考案は、このような従来の腹掛けの問題点に鑑みて、着用者が着脱するのが容易であり、着用者の脇部や腹部との隙間ができずフィット感があり、見栄えがよい祭り用腹掛けを提供することを目的とする。
【考案の効果】
【０００６】
本考案の祭り用腹掛けは、着用者が着脱するのが容易であり、着用者の脇の部分との隙間ができずフィット感があり、見栄えがよいという効果を有する。
例えば、図４の着用時の説明図（正面図（ａ）、背面図（ｂ）、側面図（ｃ））に示すように、左右の脇部領域１３，１４にのみポケットを設けたため、それらのポケットの質量効果によって、着用者の腹部や脇部にフィットする。
また、肩紐が首元を引っ張り上げ、着用者の首元に隙間が形成されない。
さらに、右脇肩紐基部１７及び左脇肩紐基部１８に肩紐の一端を接続することにより、左右の脇部領域を肩紐によって上方に持ち上げることで、着用者の脇部に隙間ができずにフィットさせることができる。
【課題を解決するための手段】
【０００７】
本考案の祭り用腹掛けは、下記の特徴を有する。
（１）本考案の祭り用腹掛けは、着用用者の胸部を覆う胸部領域（１１）と、
着用者の腹部を覆う腹部領域（１２）と、
前記腹部領域（１２）の側方から着用者の脇部を覆う方向に延出した右脇部領域（１３）及び左脇部領域（１４）とからなる前身頃（１０）と、
左右の肩紐（１９、２０）とを有し、
前記胸部領域（１１）の上方左右には右胸肩紐基部（１５）及び左胸肩紐基部（１６）とが設けられ、
前記右脇部領域（１３）の上方右側には右脇肩紐基部（１７）が設けられ、
前記左脇部領域（１４）の上方左側には左脇肩紐基部（１８）が設けられ、
前記右脇肩紐基部（１７）からは右肩紐（１９）が右斜め上方に延出され、
前記左脇肩紐基部（１８）からは左肩紐（２０）が左斜め上方に延出され、
前記右肩紐（１９）の先端部（１９ａ）は前記左胸肩紐基部（１６）に接続され、
前記左肩紐（２０）の先端部（２０ａ）は前記右胸肩紐基部（１５）に接続され、
前記左肩紐（２０）と右肩紐（１９）とは、着用者の背中側で交差するように取り付けられており、
前記右脇部領域（１３）及び左脇部領域（１４）の下方にはそれぞれポケット（３１、３２）が設けられていることを特徴とする。
（２）本考案の祭り用腹掛けは、上記（１）において、前記ポケット（３１、３２）は、前記右脇部領域（１３）及び左脇部領域（１４）の外側に形成されたものであることを特徴とする。
【図面の簡単な説明】
【０００８】
【図１】図１は本実施の形態に係る祭り用腹掛けを示す正面図である。
【図２】図２は本実施の形態に係る祭り用腹掛けを着用状態を示す概略図である。
【図３】図３は本実施の形態に係る祭り用腹掛けの主要部を説明した説明図である。
【図４】図４は本実施の形態に係る祭り用腹掛けを着用した効果を示す説明図であり、（ａ）は正面図、（ｂ）は背面図、（ｃ）は側面図である。
【考案を実施するための形態】
【０００９】
以下、図面を参照して、本考案の祭り用腹掛けについて説明する。
図１は、本実施の形態に係る祭り用腹掛けを示す正面図である。
図２は、本実施の形態に係る祭り用腹掛けを着用状態を示す概略図である。
図３は、本実施の形態に係る祭り用腹掛けの主要部を説明した説明図である。
図４は、本実施の形態に係る祭り用腹掛けを着用した効果を示す説明図である。
（ａ）は正面図、（ｂ）は背面図、（ｂ）は側面図である。
【００１０】
以下に、祭り用腹掛けの構成について説明する。
すなわち、本考案の実施形態に係る祭り用腹掛けは、着用用者の胸部を覆う胸部領域１１と、着用者の腹部を覆う腹部領域１２と、腹部領域１２の側方から着用者の脇部を覆う方向に延出した右脇部領域１３及び左脇部領域１４とからなる前身頃１０を有する。
また、本考案の実施形態に係る祭り用腹掛けは、左右の肩紐１９、２０とを有しており、胸部領域１１の上方左右には右胸肩紐基部１５及び左胸肩紐基部１６とが設けられ、
右脇部領域１３の上方右側には右脇肩紐基部１７が設けられ、
左脇部領域１４の上方左側には左脇肩紐基部１８が設けられ、
右脇肩紐基部１７からは右肩紐１９が右斜め上方に延出され、
左脇肩紐基部１８からは左肩紐２０が左斜め上方に延出され、
右肩紐１９の先端部１９ａは前記左胸肩紐基部１６に接続され、
左肩紐２０の先端部２０ａは前記右胸肩紐基部１５に接続され、
左肩紐２０と右肩紐１９とは、着用者の背中側で交差するように取り付けられており、
右脇部領域１３及び左脇部領域１４の下方にはそれぞれポケット３１、３２が設けられていることを特徴とする。
また、このような祭り用腹掛けにおいては、ポケット３１、３２は、右脇部領域１３及び左脇部領域１４の外側に形成されたものであることが好ましい。
【００１１】
＜前身頃１０＞
図１の正面図、図２の概略図、図３の説明図に示すように、本考案の祭り用腹掛けの正面には、前身頃１０が形成されている。
前身頃１０は、着用用者の胸部を覆う胸部領域１１と、着用者の腹部を覆う腹部領域１２と、前記腹部領域１２の側方から着用者の脇部を覆う方向に延出した右脇部領域１３及び左脇部領域１４とからなる。
【００１２】
＜胸部領域１１＞
胸部領域１１は、前身頃１０の中央上方に位置し、着用者の上半身の胸部を覆うように台形状に形成されている部分である。
【００１３】
＜腹部領域１２＞
腹部領域１２は、前身頃１０の中央下方に位置し、着用者の腹部を覆うように縦長の長方形状に形成されている部分である。
【００１４】
＜右脇部領域１３及び左脇部領域１４＞
右脇部領域１３は、腹部領域１２の側方から右方向に延出し、着用者の左脇部を覆うように形成されている部分である。
左脇部領域１４は、腹部領域１２の側方から左方向に延出し、着用者の右脇部を覆うように形成されている部分である。
【００１５】
＜左右の肩紐１９、２０＞
さらに、本考案の祭り用腹掛けは、左右の肩紐１９、２０を有している。
これらの左右の肩紐１９、２０は、胸部領域１１の上方左右に設けられた右胸肩紐基部１５及び左胸肩紐基部１６と、左右の脇部領域１３、１４の上方の左右側に設けられた右脇肩紐基部１７及び左脇肩紐基部１８とに接続されている。
すなわち、右脇肩紐基部１７からは右肩紐１９が右斜め上方に延出され、
左脇肩紐基部１８からは左肩紐２０が左斜め上方に延出され、
右肩紐１９の先端部１９ａは左胸肩紐基部１６に接続され、
左肩紐２０の先端部２０ａは右胸肩紐基部１５に接続されている。
さらに、左肩紐２０と右肩紐１９とは、着用者の背中側で交差するように取り付けられている。
なお、前身頃１０の生地の荷重を左右の肩紐１９、２０で引っ張り上げるようにしているので、首元（着用者の首周り）に隙間を生じさせることがなく、首元回りがしまる。
【００１６】
＜ポケット３１、３２＞
また、本考案の祭り用腹掛けには、右脇部領域１３及び左脇部領域１４の下方に、それぞれポケット３１、３２が設けられている。
なお、それらのポケット３１、３２は、例えば、右脇部領域１３及び左脇部領域１４の生地を下方に延出させて、その延出部分を上方に折り曲げて、右脇部領域１３及び左脇部領域１４の外側に形成されたものであることが好ましい。
こうして形成された左右のポケット３１、３２は、その質量により、右脇部領域１３及び左脇部領域１４を下方へ引っ張り下げる効果を有し、本考案の祭り用腹掛けの腹部領域１２及び脇部領域１３を着用者の体にフィットさせるように働き、祭り用腹掛けの上に羽織る半纏も格好良く羽織ることができる。
【００１７】
＜素材＞
本考案の祭り用腹掛けの素材としては、合成樹脂製の繊維等を用い、その素材を適宜裁断、縫合することで所定形態となるように形成される。
これらの素材を、例えば、平織り・綾織り・刺し子織りなどに職製することにより、生地とすることができる。
なお、本実施の形態において、肩紐は、例えばゴムやポリウレタン繊維等の伸縮材料を用いて長さ調整可能なように構成することもできる。
【００１８】
＜着用方法＞
本考案の祭り用腹掛けの着用方法は、頭を入れるために、左右の肩紐を交差させ円形をつくりこの円形内に頭を通す。
次に、左右の腕を肩紐から通し、肩紐や前見頃を整える。
なお、下の鯉口シャツが見えないように首まわりに隙間を作らないようにぴたっとすることで、粋な腹掛の着こなしができる。
肩紐が裏返しにひっくりかえっていると不格好なので、直すようにする。
【符号の説明】
【００１９】
１０  前身頃
１１  胸部領域
１２  腹部領域
１３  右脇部領域
１４  左脇部領域
１５  右胸肩紐基部
１６  左胸肩紐基部
１７  右脇肩紐基部
１８  左脇肩紐基部
１９  肩紐
１９ａ  右肩紐の先端部
２０  左肩紐
２０ａ  左肩紐の先端部
３１、３２  ポケット
【図１】
0003216883.tif 000003
【図２】
0003216883.tif 000004
【図３】
0003216883.tif 000005
【図４】
0003216883.tif 000006